(57)【要約】    【課題】  外部環境から清浄区域へ入る被処理体について病原体の除塵を行うだけでなく、より確実に除菌を行うことが可能なエアシャワー装置および除塵除菌方法を提供する。    【解決手段】  外部環境よりも清潔な清潔区域に付随して設置されており、前記外部環境から前記清潔区域に入る被処理体を通路上において一旦収容して閉空間を構成し得る装置本体と、前記閉空間に高速気流を噴出して前記閉空間に収容された被処理体の除塵を行うことが可能な除塵手段とを備えたエアシャワー装置。【選択図】  図５
2013007496.tif 000002
【特許請求の範囲】
【請求項１】
外部環境よりも清潔な清潔区域に付随して設置されており、前記外部環境から前記清潔区域に入る被処理体を通路上において一旦収容して閉空間を構成し得る装置本体と、前記閉空間に高速気流を噴出して前記閉空間に収容された被処理体の除塵を行うことが可能な除塵手段とを備えたエアシャワー装置であって、
前記閉空間内に除菌液を噴霧することにより前記被処理体の除菌を行うことが可能な除菌手段を、さらに備えたことを特徴とするエアシャワー装置。
【請求項２】
前記除菌液は、次亜塩素酸を主成分とし、含有塩素濃度が３０〜８０ｐｐｍ且つｐＨが５〜７の水溶液であることを特徴とする請求項１に記載のエアシャワー装置。
【請求項３】
前記除塵手段及び前記除菌手段は、前記通路を隔てて対向する位置に配置され、且つ、前記被処理体に対して互いに反対側からそれぞれ前記高速気流の噴出及び前記除菌液の噴霧を行うことが可能であるように構成されていることを特徴とする請求項１または２に記載のエアシャワー装置。
【請求項４】
前記通路は、前記除菌手段から噴霧された除菌液を貯留し得るように構成されていることを特徴とする請求項１〜３のいずれかに記載のエアシャワー装置。
【請求項５】
外部環境よりも清潔な清潔区域へ入る被処理体を通路上の閉空間に一旦収容し、該閉空間に収容された被処理体に対して高速気流を噴出して前記閉空間に収容された被処理体の除塵を行い、且つ前記被処理体に対して除菌液を噴霧することにより前記被処理体の除菌を行うことを特徴とする除塵除菌方法。
【請求項６】
前記被処理体の除塵を行った後、該被処理体の除菌を行うことを特徴とする請求項５に記載の除塵除菌方法。
【発明の詳細な説明】
【技術分野】
【０００１】
本発明は、清潔区域に付随して設置されるエアシャワー装置及び除塵除菌方法に関する。
【背景技術】
【０００２】
従来、外部環境よりも清潔な清潔区域であるクリーンルームは、医療分野、薬品工業分野、食品工業分野、精密機械分野等、様々な技術分野において用いられている。
【０００３】
クリーンルームは、その内部を無塵状態に保つものであり、該クリーンルームへの入室の際には、人体等に付着した塵埃をできる限り除去しておくことが好ましいことから、クリーンルームに入室する人や物に付着した塵埃を除去するため、クリーンルームの入口にはエアシャワー装置が設置されている。
【０００４】
エアシャワー装置は、一般に、空気を高速で噴出するように構成された複数のノズルと、該空気によって除去された塵埃等を捕捉するためのフィルタとを備えている。かかるエアシャワー装置によれば、ノズルより噴出された高速気流によって被服や物等に付着した塵埃が吹き飛ばされ、その塵埃がフィルタによって捕捉されるため、クリーンルームへ入室する人や物に付着した塵埃を速やかに除去することができる。
【０００５】
一方、近年、人や動物にとって、院内感染や鳥インフルエンザ、口蹄疫等、病原体の感染が問題となっている。かかる病原体の感染者や感染動物が認められた場合に、該感染者や感染動物から未感染者や未感染動物等を隔離して収容するための設備として、クリーンルームが用いられるようになっている。このような病原体は細菌やウイルス等の微生物であり、塵埃として除去し得るため、外部環境からクリーンルームへ人、動物や物（被処理体）が入る際、人等に付着した微生物等を除塵するための設備として、上記したようなエアシャワー装置が用いられるようになっている。
【０００６】
かかるエアシャワー装置によって、人及びその被服、動物や物の表面近傍に付着した微生物等をある程度除去することは可能であるが、被服の繊維間の小さな隙間等に入り込んだ微生等を除去することは困難である。
【０００７】
そこで、例えばエアシャワー装置からオゾンを含有する高速気流を噴出することにより、人等の被処理体に付着した微生物等の除塵、及び、微生物等の除去、死滅（殺菌）あるいは弱体化（除菌）を行う技術が提案されている（特許文献１参照）。
【先行技術文献】
【特許文献】
【０００８】
【特許文献１】特開２００４−１９９５７号公報
【発明の概要】
【発明が解決しようとする課題】
【０００９】
しかし、微生物等が人等に伴ってクリーンルームに侵入した場合には、クリーンルーム内で感染が拡大し、深刻な被害が生じる得るため、より確実に除菌するエアシャワー装置が要望されている。
【００１０】
本発明は、上記問題点に鑑み、外部環境から清浄区域へ入る被処理体について微生物等の除塵を行うだけでなく、より確実に除菌を行うことが可能なエアシャワー装置および除塵除菌方法を提供することを課題とする。
【課題を解決するための手段】
【００１１】
本発明に係るエアシャワー装置は、外部環境よりも清潔な清潔区域に付随して設置されており、前記外部環境から前記清潔区域に入る被処理体を通路上において一旦収容して閉空間を構成し得る装置本体と、前記閉空間に高速気流を噴出して前記閉空間に収容された被処理体の除塵を行うことが可能な除塵手段とを備えたエアシャワー装置であって、
前記閉空間内に除菌液を噴霧することにより前記被処理体の除菌を行うことが可能な除菌手段を、さらに備えたことを特徴とする。
【００１２】
これにより、高速気流の噴出によって被処理体に付着した微生物等を除塵することができ、高速気流の噴出によって除去されないような微生物等を、除菌液の噴霧によって除去、死滅または弱体化させる（除菌する）ことができる。従って、外部環境から清浄区域へ入る被処理体について微生物等の除塵を行うだけでなく、より確実に除菌を行うことが可能となる。
【００１３】
また、本発明に係るエアシャワー装置においては、前記除菌液は、次亜塩素酸を主成分とし、含有塩素濃度が３０〜８０ｐｐｍ、且つｐＨが５〜７の水溶液であることが好ましい。
【００１４】
これにより、比較的低い含有塩素濃度であっても、微生物等を短時間で且つ十分に除菌することができるため、人体等の皮膚に付着したり呼吸器内へ入り込んだりした場合に人体等に及ぼす悪影響を低減することができる。また、弱酸性のｐＨ値を有するため、人体等の皮膚への刺激を低減することもできる。従って、被処理体に対する悪影響を抑制しつつ、十分な除菌を行うことが可能となる。
【００１５】
また、本発明に係るエアシャワー装置においては、前記除塵手段及び前記除菌手段は、前記通路を隔てて対向する位置に配置され、且つ、前記被処理体に対して互いに反対側からそれぞれ前記高速気流の噴出及び前記除菌液の噴霧が可能であるように構成されていることが好ましい。
【００１６】
これにより、除塵手段及び除菌手段の配置スペースを十分に確保することができる。また、高速気流によって飛ばされた微生物等が集積し易い方向から除菌液を噴霧することができるため、より確実に微生物等の除菌を行うことが可能となる。
【００１７】
また、本発明に係るエアシャワー装置においては、前記通路は、前記除菌手段から噴霧された除菌液を貯留し得るように構成されていることが好ましい。
【００１８】
これにより、閉空間に収容された際、人の足底といった被処理体における通路と接触する部分、すなわち、被処理体における噴霧された除菌液が付着し難い部分に対して、除菌液を付着させることができるため、より確実に被処理体の除菌を行うことができる。
【００１９】
また、本発明に係る除塵除菌方法は、外部環境よりも清潔な清潔区域へ入る被処理体を通路上の閉空間に一旦収容し、該閉空間に収容された被処理体に対して高速気流を噴出して前記閉空間に収容された被処理体の除塵を行い、且つ前記被処理体に対して除菌液を噴霧することにより前記被処理体の除菌を行うことを特徴とする。
【００２０】
また、本発明に係る除塵除菌方法においては、前記被処理体の除塵を行った後、該被処理体の除菌を行うことが好ましい。
【００２１】
これにより、高速気流によって被処理体から微生物等をある程度除去した後、残った微生物等を除菌液で除菌することができる。また、噴霧された除菌液が高速気流によって被処理体から吹き飛ばされることを防止できる。従って、より確実に除菌を行うことが可能となり、また、噴霧される除菌液の量を少なくすることも可能となる。
【発明の効果】
【００２２】
以上の通り、本発明によれば、外部環境から清浄区域へ入る被処理体について微生物等の除塵を行うだけでなく、より確実に除菌を行うことが可能となる。
【図面の簡単な説明】
【００２３】
【図１】本発明に係るオゾンエアシャワー装置の一実施形態を示す概略斜視図
【図２】図１におけるＡ−Ａ矢視断面図
【図３】図１におけるＢ−Ｂ矢視断面図
【図４】図１におけるＣ−Ｃ矢視断面図
【図５】図１におけるＤ−Ｄ矢視断面図
【図６】図５の領域Ｓにおける除菌液用ノズル周辺の構成を示す拡大図
【発明を実施するための形態】
【００２４】
以下、本発明の一実施形態に係るエアシャワー装置および除塵除菌方法について、図面を参照しつつ詳細に説明する。
【００２５】
図１に示すように、本実施形態に係るエアシャワー装置１は、クリーンルームの出入口に設置されており、外部環境側（外部側）ドア６とクリーンルーム側ドア５とが互いに対向するように設けられた装置本体２を備えている。また、該装置本体２の内部には、除塵手段たる除塵ユニット３と、除菌手段たる除菌ユニット４とが、外部側ドア６とクリーンルーム側ドア５とを結ぶ通路７の両側に対向するように配置されている。すなわち、外部側ドア６とクリーンルーム側ドア５との双方を閉めることにより、装置本体２の内部には、通路７上において除塵ユニット３及び除菌ユニット４を取り囲む閉空間が構成されるようになっている。
【００２６】
図２、図４及び図５に示すように、除塵ユニット３は、高速気流を噴出可能な複数の高速気流用ノズル（噴出部）２１を該除塵ユニット３の前面に備え、該高速気流用ノズル２１へ空気を供給するための送風機２２を内部に備えている。そして、個々の高速気流用ノズル２１からは、例えば２３ｍ／秒の高速気流が噴出されるように構成されている。
【００２７】
また、防塵ユニット３は、前面下部に配置されたグリル２３を備えており、グリル２３は、閉空間に噴出された後、送風機２２へと循環される高速気流を通過させるように構成されている。さらに、防塵ユニット２は、高速気流用ノズル２１の背面側に設置された、回収部たるＨＥＰＡ（Ｈｉｇｈ  Ｅｆｆｉｃｉｅｎｃｙ  Ｐａｒｔｉｃｕｌａｔｅ  Ａｉｒ）フィルタ２４を備えている。ＨＥＰＡフィルタ２４は、粒径が０．３μｍ程度の粒子を９９．９７％以上の割合で除去し得るガラス繊維からなるフィルタである。また、ＨＥＰＡフィルタ２４は、送風機２２から噴出される高速気流を通過させるように構成されている。これにより、微生物等を回収しつつ、ＨＥＰＡフィルタ２４を通過した空気を高速気流用ノズル２１から噴出させることが可能となる。なお、回収部を、ＨＥＰＡフィルタと、該ＨＡＰＡフィルタの前面側に配置され、ナイロン不織布によって構成されたフィレドンエアフィルター等のプレフィルタとから構成することもできる。
【００２８】
一方、図３、図４及び図５に示すように、除菌ユニット４は、除菌液を噴霧可能な複数の除菌液用ノズル（噴霧部）２５を該除菌ユニット４の前面に備え、該除菌液用ノズル２５へ空気を供給するための圧縮エアコンプレッサー３１と、該除菌液用ノズル２５へ除菌液を供給するための除菌液を生成する除菌液生成装置３２とを内部に備えている。また、除菌ユニット４は、３段（下段、中段及び上段）に区分けされた枠体３３を内部に備えており、該枠体３３の下段に上記した圧縮エアコンプレッサー３１、中段に上記した除菌液生成装置３２が配置されている。さらに、除菌ユニット４は、除菌液生成装置３２に原料を供給するための原料タンク３４、除菌液生成装置３２で生成された除菌液を貯留するための除菌液タンク３５を内部に備えており、原料タンク３４は枠体３３の中段、除菌液タンク３５は枠体３３の上段に配置されている。また、原料タンク３４と除菌液生成装置３２とは液供給配管３６を介して接続され、除菌液生成装置３２と除菌液タンク３５とは供給配管３７を介して接続されている。
【００２９】
除菌液生成装置３２で生成される除菌液は、微生物等を除菌可能であれば、特に限定されるものではないが、例えば、次亜塩素酸を主成分とし、含有塩素濃度が３０〜８０ｐｐｍ且つｐＨが５〜７の水溶液であることが好ましい。除菌液が該水溶液であることにより、３０〜８０ｐｐｍと低い含有塩素濃度であっても、微生物等を短時間で且つ十分に除菌することができるため、人体等の皮膚に付着したり呼吸器内へ入り込んだりした場合に人体等に及ぼす悪影響を低減することができる。また、弱酸性のｐＨ値を有するため、人体等の皮膚への刺激を低減することもできる。従って、被処理体に対する悪影響を抑制しつつ、十分な除菌を行うことが可能となる。
【００３０】
このような水溶液は、例えば、除菌液生成装置３２において、食塩（塩化ナトリウム）を触媒として塩酸を含有する水を電気分解することによって生成される水溶液を挙げることができ、かかる水溶液は、一般に、弱酸性電解水（またはハイクロソフト水）と呼ばれている。かかる弱酸性電解水は、例えば、以下のようにして生成される。すなわち、除菌液生成装置３２には、不図示の液供給配管から水道水が供給されるようになっており、原料タンク３４は原料タンク本体３４ａとポンプ３４ｂとを備え、このうち原料タンク本体３４ａには、食塩（塩化ナトリウム）と希塩酸とを含有した水溶液が収容されている。原料タンク本体３４ａは、第１液供給配管３６ａを介してポンプ３４ｂと接続され、該ポンプ３４ｂは、第２液供給配管３６ｂを介して除菌液生成装置３２と接続されており、ポンプ３４ｂにより、原料タンク本体３４ａ内の上記水溶液が除菌液生成装置３２内に供給されるようになっている。そして、除菌液生成装置３２に供給された上記水溶液と、上記した水道水とが混合されて混合液が得られ、得られた混合液が該除菌液生成装置３２内で電気分解されることによって、除菌液たる弱酸性電解水が生成される。また、除菌液中の含有塩素濃度及びｐＨ値は、ポンプ３４ｂの送液量の設定と除菌液生成装置３２の電流及び電圧の設定とを調整することによって、適宜設定することができる。
【００３１】
一方、除菌液生成装置３２には、除菌液供給配管３８が接続され、圧縮エアコンプレッサー３１には、圧縮エア供給量調整部たる圧力調整弁４０を介して圧縮エア供給用配管３９が接続されており、除菌液供給配管３８、及び、圧力調整弁４０に接続された圧縮エア用配管３９は、それぞれ分岐して各除菌液用ノズル２５に接続されている。また、図３、図５及び図６に示すように、除菌液生成装置３２から供給された除菌液と圧縮エア供給用配管３９から供給された圧縮エアとは、除菌液用ノズル２５内で混合され、この気液混合体が各除菌液ノズル２５から噴霧されるように構成されている。
【００３２】
除菌液用ノズル２５への圧縮エアの供給量及び除菌液の供給量は、除菌液ノズル２５から噴霧される噴霧液の液滴径（粒子径）が６．７〜８．５μｍ、１ｍ3の圧縮エア中の除菌液の体積濃度が３０〜８０ｐｐｍとなるように、設定されている。このように圧縮エア及び除菌液の供給量が設定されることにより、噴霧された除菌液を、装置本体２の閉空間に収容された被処理体全体に付着させつつ、該被処理体を十分に除菌することが可能となる。
【００３３】
上記除菌液用ノズル２５への圧縮エアの供給量は、圧力調整弁４０を開閉することによって圧縮エア量を調整されるようになっている。ここで、圧縮エア量を多くすることによって、噴霧液の液滴径を小さくすることができ、より広範囲に除菌液を噴霧することができる一方、１ｍ3辺りの除菌液量が少なくなる（除菌液濃度が低くなる）。一方、圧縮エア量を少なくすることによって、噴霧液の液滴径を大きくすることができ、１ｍ3辺りの除菌液量が多くなり（除菌液濃度が高くなり）、除菌液を被処理体に付着させ易くなる一方、除菌液を噴霧し得る範囲が狭くなる。従って、圧縮エア量は、例えばかかる観点を考慮して適宜設定されることができ、例えば圧力調整弁４０によってエア圧力を０．７ＭＰａ、０．３５ＭＰａ、０．３０ＭＰａとすることによって、それぞれ圧縮エア量を約９７Ｌ／ｍｉｎ、約６５Ｌ／ｍｉｎ、約２．５／ｍｉｎとすることができる。
【００３４】
また、上記したように、除菌液生成装置３２で生成された除菌液は、除菌液タンク３５で貯留されるようになっており、さらに、該除菌液タンク３５に貯留された除菌水は、不図示の噴霧用タンクに貯留された後、除菌液供給配管３８を介して除菌液用ノズル２５へと供給されるようになっている。また、該噴霧用タンクには、貯留された除菌液の液量を一定にするための不図示のフロート弁が備えられており、上記噴霧用タンクから除菌液用ノズル２５に除菌液が供給されることにより、上記噴霧用タンク内の液量が一定量を下回ると除菌液タンク３５から上記噴霧用タンクへと除菌液が供給され、供給された除菌液によって上記噴霧タンク内の除菌液が一定量に達すると、除菌液タンク３５から上記噴霧用タンクへの除菌液の供給が停止するようになっている。このようにして、上記除菌液用ノズル２５への除菌液の供給量が一定量となるように調整できるようになっている。そして、上記一定量を変化させることによって、除菌液用ノズル２５への除菌液の供給量を調整することができる。
【００３５】
また、各除菌液用ノズル２５は、除菌液の吹き出し角度を調整可能に構成されている。かかる構成により、例えば、被処理体の除菌として人の除菌を行う場合には、口、目、鼻といった部分に対する除菌液の付着量が他の身体部分に対する除菌液の付着量よりも少なくなるように、各除菌液用ノズル２５の吹き出し角度を調整することができる。これにより、口、目、鼻等への刺激を抑制しつつ、人の除菌を行うことが可能となる。
【００３６】
また、装置本体２の通路７は、除菌液用ノズル２５から噴霧された除菌液を貯留し得るような箱状に構成され得る。かかる通路７は、ステンレスから形成することができる。この通路７に除菌が貯留されることにより、被処理体が閉空間に収容された際、例えば人の足底といった被処理体における通路７と接触する部分、すなわち、被処理体における噴霧された除菌液が付着し難い部分に対して、除菌液を付着させることができるため、より確実に被処理体の除菌を行うことができる。なお、通路７は、かかる構成に特に限定されるものではなく、その他例えば、平板状に構成されることもできる。
【００３７】
また、装置本体２は、高速気流用ノズル２１からの高速気流の噴出時間、除菌液用ノズル２５からの除菌液の噴霧時間、及び除菌液の噴霧タイミングを設定するための操作パネル４１（図５参照）を備えており、かかる操作パネル４１を操作することによって、後述するようにこれら噴出時間、噴霧時間及び噴霧タイミングを設定することができるように構成されている。
【００３８】
本実施形態に係る除塵除菌方法は、外部環境よりも清潔な清潔区域へ入る被処理体を通路７上の閉空間に一旦収容し、該閉空間に収容された被処理体に対して高速気流を噴出して前記閉空間に収容された被処理体の除塵を行い、且つ前記被処理体に対して除菌液を噴霧することにより前記清潔空間に入る被処理体の除菌を行う。
【００３９】
これにより、高速気流の噴出によって被処理体に付着した微生物等を除塵することができ、高速気流の噴出によって除去されないような微生物等を、除菌液の噴霧によって除去、死滅または弱体化させる（除菌する）ことができる。従って、外部環境から清浄区域へ入る被処理体について微生物等の除塵を行うだけでなく、より確実に除菌を行うことが可能となる。
【００４０】
また、本実施形態では、被処理体の除塵を行った後、該被処理体の除菌を行うこととする。これにより、高速気流によって被処理体から微生物等をある程度除去した後、残った微生物等を除菌液で除菌することができる。また、噴霧された除菌液が高速気流によって被処理体から吹き飛ばされることを防止できる。従って、より確実に除菌を行うことが可能となり、また、噴霧される除菌液の量を少なくすることも可能となる。
【００４１】
本実施形態に係る除塵除菌方法は、具体的には、エアシャワー装置１を用い、作業者、動物等の被処理体を外部側ドア６より装置本体２内部に入室させ、入室後、外部側ドア６を閉めると、装置本体２の閉空間に被処理体が収容される。かかる閉空間に収容された被処理体に向けて、除塵ユニット３の複数の高速気流用ノズル２１よりＨＥＰＡフィルタ２４で除塵された高速気流を噴出する。噴出された高速気流は、除塵ユニット３下部に設置されたグリル２３より除塵ユニット３内へと排出され、除塵ユニット３内へと排出された高速気流（空気）を、ＨＥＰＡフィルタ２４を通過させた後、再び高速気流用ノズル２１より閉空間に噴出される。そして、この除塵処理後、除菌ユニット４の複数の除菌液用ノズル２５より閉空間に除菌液を噴霧する。噴霧された除菌液の一部は被処理体の被服や皮膚等に付着し、残りは通路７へと落下する。
【００４２】
このように、複数の高速気流用ノズル２１より被処理体に向けて高速気流を噴出することにより、該高速気流は、被処理体の被服等に付着した塵埃や異物等を払い落とすと同時に、被服等に付着した微生物等を払い落とす。被服等より払い落とされた微生物等は、ＨＥＰＡフィルタ２４によって捕捉（回収）される。また、該被処理体に向けて除菌液用ノズル２５より除菌液を噴霧することにより、噴霧された除菌液が被処理体の皮膚深部や被服の細かい繊維間等に付着するため、除塵処理では除去し得ないような微生物等を、除去、殺菌あるいは弱体化させる（除菌する）ことができる。
【００４３】
高速気流用ノズル２１からの高速気流の噴霧時間は、特に限定されるものではないが、例えば１５〜２５秒とすることができる。このように噴霧時間を１５〜２５秒間とすることにより、十分な除塵を行うことが可能となる。
【００４４】
また、除菌液用ノズル２５からの除菌液の噴霧時間は、特に限定されるものではないが、例えば３０秒〜６０秒間とすることができる。このように噴霧時間を３０〜６０秒間とすることにより、無駄なく十分に除菌効果を得ることができる。かかる除菌液の噴霧は、連続的に行うことが好ましく、これにより、より確実に被処理体の除菌を行うことができるが、その他、断続的に行うこともできる。
【００４５】
さらに、高速気流の噴出後、除菌液の噴霧を行うタイミングは、特に限定されるものではなく、例えば、時間の無駄を省く観点から、高速気流の噴出終了後、直ちに除菌液の噴霧を行うことができる。また、このように待機時間を０秒とする他、閉空間内で高速気流の流れが落ち着くように、１〜１０秒間程度待機してから除菌液を噴霧することもできる。なお、これら噴出時間、噴霧時間、及び除菌液の噴霧タイミングは、操作パネル４１を操作することによって調整することができる。
【００４６】
本発明に係るエアシャワー装置及び除塵除菌方法は、上記実施形態に特に限定されるものではなく、本発明の趣旨を逸脱しない範囲で種々の変更が可能である。例えば、上記実施形態では、除塵ユニット３と除菌ユニット４とを別個に設けたが、両者を一体のユニットとして設けることも可能である。
【００４７】
また、上記実施形態では、被処理体が外部環境から清潔区域へと入る際に、被処理体を除塵及び除菌する態様について説明したが、その他、このように被処理体が外部環境から清潔区域に入る際に加え、被処理体が清潔区域から外部環境に出る際にも、上記エアシャワー装置を用いて被処理体の除塵及び除菌を行うことも可能である。これにより、清潔区域内で微生物等が付着するような事態が生じた場合において、該清潔区域内から外部環境へと該微生物等が持ち出されることを防止することが可能となる。
【００４８】
また、上記実施形態では、エアシャワー装置が除菌液生成装置を備えるような構成とするが、その他、エアシャワー装置が該除菌液生成装置を備える代わりに、予め生成された除菌液が貯留された除菌液タンクを備えるような構成とすることもできる。
【実施例】
【００４９】
（実施例）
上述したのと同様なエアシャワー装置（図１〜５参照）を作成し、装置本体の閉空間に収容された被処理体（被験者のダミーたるマネキン）に対して、高速気流用ノズルより高速気流を噴出して被験者の除塵を行った後、直ちに、除菌液用ノズルより除菌液たる弱酸性電解水を噴霧して被験者の除菌を行い、かかる除塵・除菌処理を行う前後で、被処理体に付着している菌の数を測定した。
【００５０】
具体的には、まず、財団法人日本食品分析センターにて作製された寒天平板に予め試験用病原体として大腸菌及び黄色ブドウ球菌の菌液（約１０ｍ3／ｍＬ）を０．１ｍＬ塗株することによって、寒天培地を作製した。そして、かかる寒天培地を、マネキンの上部、中央部及び下部の３箇所に設置した。
次に、このように寒天培地が設置されたマネキンを、エアシャワー装置の外部側ドアとクリーンルーム側ドアとを結ぶ通路に設置した後、両ドアを閉め、８箇所の高速気流用ノズルから２３ｍ／秒の高速気流を３０秒間噴出した。かかる高速気流の噴出後、さらに、除菌液生成装置たる弱酸性電解水生成装置（株式会社ＯＳＧコーポレーション製、アクアチッド・ＮＤＸ−７０ＫＭＷ）により、ｐＨ６の除菌液たる弱酸性電解水を生成し、ノズルに流入する除菌液の含有塩素濃度を６０ｐｐｍに設定し、３箇所の除菌液用ノズルから、エア圧力を０．３０ＭＰａとすることにより圧縮エア量が２．５Ｌ／ｈ、ノズル出口における１ｍ3辺りの除菌液の体積濃度が３０ｐｐｍとなるように設定して、除菌液を３０秒間、噴霧した。
【００５１】
そして、上記した除塵・除菌処理を施されたマネキンに設置されていた３つの寒天培地、及び、該処理が施されていないマネキンに設置されていた３つの寒天培地を、ふ卵器で３８℃４８時間培養した。そして、培養後、大腸菌及び黄色ブドウ球菌のコロニー数を目視検査によって確認したところ、上記除塵・除菌処理が施された寒天培地では、上記コロニー数は、０個であった。一方、上記除塵・除菌処理が施されていない寒天培地では、上記コロニー数は、多数存在していた。この結果、被験者に細菌が付着していても、上記除塵・除菌処理によって十分に除菌され得ることが示された。
【００５２】
（試験例）
上記実施例と同様のエアシャワー装置を用い、高速気流用ノズルから高速気流を噴出させることなく、除菌液用ノズルから除菌液としてのｐＨ６の弱酸性電解水を噴霧することにより、以下のように噴霧時間と除菌効果との関係を調べた。
【００５３】
（試験用病原体）
試験用病原体として、脳心筋炎ウイルス（Ｅｎｃｅｐｈａｌｏｍｙｏｃａｒｄｉｔｉｓ  ｖｉｒｕｓ（ＥＭＣＶ））を用いた。
（被処理物）
被処理物として、白衣（東洋紡株式会社製、５１−６０１Ｓ、制菌加工、ポリエステル６０％、綿３５％）を２ｃｍ×４ｃｍにカットし、１２１℃、１５分間高圧蒸気滅菌して滅菌布を調製した後、該滅菌布に、上記脳心筋炎ウイルスを濃度２×１０4ＰＦＵ／２０μＬに調整した液２０μＬを、１５〜２０回に分けて滴下することによって、被処理体たる試験用布を得た。
（除菌液用ノズルからの除菌液の噴霧）
８個の除菌液用ノズルのうちの１つについて、ノズルに流入する除菌液の含有塩素濃度を８０ｐｐｍに設定し、エア圧力を０．３０ＭＰａとすることにより圧縮エア量が２．５Ｌ／ｈ、ノズル出口における１ｍ3辺りの除菌液の体積濃度が７０ｐｐｍとなるように設定し、この除菌液用ノズルから約３０ｃｍ離れた場所に、該ノズルに対して垂直となるように上記試験用布を設置し、該試験用布に、除菌液を噴霧時間０秒間、１５秒間、３０秒間、３分間でそれぞれ噴霧した。また、各噴霧時間でそれぞれ３枚の試験用布を用いて同様の操作を行い、それぞれ３枚ずつの噴霧後サンプルを得た（ｎ＝３）。
【００５４】
（サンプル液の調製）
上記各噴霧後サンプルを、ダルベッコＭＥＭ培地溶液１ｍＬ入りのチューブに投入することによって該ダルベッコＭＥＭ培地溶液に浸し、この状態でボルテックスミキサーを用いてチューブを振とうし、上記各噴霧後サンプルから上記ダルベッコ培地溶液中へとウイルスを放出させて、得られた培地溶液を、各サンプル液とした。そして、各サンプル液中のウイルス感染価（ｐｌａｑｕｅ  ｆｏｒｍｉｎｇ  ｕｎｉｔ（ＰＦＵ／ｍＬ））を、プラークアッセイ法によって測定した。
（プラークアッセイ）
各サンプル液を、維持培地で１０段階希釈してサンプル希釈液を調製した。前日にＨｅＬａ細胞を播種しておいた６ウェルプレートの上清を除き、リン酸緩衝生理食塩水（ＰＢＳ）（−）で洗浄した後、各段階でのサンプル希釈液を１ウェル当たり１００００μＬ（１００００μＬ／ウェル）となるように２ウェルずつ添加して、サンプル希釈液中のウイルスをＨｅＬａ細胞に接種した。それから、１時間静置してウイルスをＨｅＬａ細胞に吸着させた後、各ウェルにメチルセルロース維持培地を、４ｍＬ／ウェルずつ添加した。その後、６ウェルプレートを、内部が３７℃、５％ＣＯ2濃度に設定されたインキュベーター内に設置して、２日間培養した。培養後、感染細胞をグルタルアルデヒドで固定し、維持培地を除去して、クリスタルバイオレットで染色した。そして、各ウェルにおけるプラーク数を計数することによって、各サンプル希釈液中の感染価を算出した。
【００５５】
（測定結果）
上記したプラークアッセイ法により、各噴霧時間ごとに３サンプルの感染価を算出し、この結果から、平均感染価を算出した。さらに、各噴霧時間におけるウイルス感染価減少率（％）を、ウイルス感染価減少率（％）＝（０秒での平均感染値−各噴霧時間での平均感染値）／（０秒での平均感染値）×１００の式に基づいて算出した。結果を表１に示す。
【００５６】
【表１】
2013007496.tif 000003
【００５７】
表１より、噴霧時間が３０秒であると、ウイルスが６０％程度減少したことがわかった。また、噴霧時間が６０秒であると、ウイルスが９０％程度減少したことから、より優れた感染防御効果を発揮できることがわかった。さらに、噴霧時間が３分であると、ウイルスが９９％程度減少したことから、より一層優れた感染防御効果を発揮できることがわかった。
【符号の説明】
【００５８】
１：エアシャワー装置、２：装置本体、３、除塵ユニット、４、除菌ユニット、５：クリーンルーム側ドア、６：外部側ドア、７：通路、２１：高速気流用ノズル、２２：送風機、２４：ＨＥＰＡフィルタ、２５：除菌液用ノズル、３１：圧縮エアコンプレッサー、３２：除菌液生成装置
【図１】
2013007496.tif 000004
【図２】
2013007496.tif 000005
【図３】
2013007496.tif 000006
【図４】
2013007496.tif 000007
【図５】
2013007496.tif 000008
【図６】
2013007496.tif 000009